(57)【要約】      （修正有）【課題】ヘルメットに、有効な照明装置を設置して、２輪車ライダー或いは工場と鉱区の作業員に安全な機能を持つヘルメットを提供する。【解決手段】ヘルメットの構造は、１つの帽体と、１つの帽体と連接する顎ベルトから構成され、前記帽体は、少なくとも、１つの光反射ケース２０２と、少なくとも、１つのランプ２１０と、電源と、電源スイッチ２４と、を備え、前記ランプは前記光反射ケース２０２の中に設け、電源とランプ及び電源スイッチとは電気的に接続する。【選択図】図２
0003161040.tif 000002
【実用新案登録請求の範囲】
【請求項１】
ヘルメットであって、その構造は、
１つの帽体と、１つの帽体と連接する顎ベルトから構成され、
前記帽体は、少なくとも、１つの光反射ケースと、少なくとも、１つのランプと、電源と、電源スイッチと、を備え、前記ランプは前記光反射ケースの中に設け、電源とランプとは電気接続で、電源スイッチと電源は電気接続であることを特徴とするヘルメット。
【請求項２】
前記光反射ケースには、ランプ座を設けており、ランプ座の上に、少なくも、１つのランプを挿設しておることを特徴とする請求項１に記載のヘルメット。
【請求項３】
前記電源には、バッテリと、陽極板と、陰極板と、複数の接続コードとを備え、接続コードの１端が、ランプ座と接続され、別の１端が、陽極板と接続され、陽極板と陰極板とは別の接続コードで接続されることを特徴とする請求項１に記載のヘルメット。
【請求項４】
前記陽極板の上に、複数のコンタクトを設け、該複数のコンタクトが、個々でバッテリ上の導電片と接続されることを特徴とする請求項３に記載のヘルメット。
【請求項５】
前記陰極板の上に、穴を設け、該穴に電源スイッチを穿設することを特徴とする請求項３に記載のヘルメット。
【請求項６】
前記電源スイッチは、接触制御式のスイッチであり、前記コンタクトと導電片の接触していると、接触していないと、の位置で制御することを特徴とする請求項１に記載のヘルメット。
【請求項７】
前記帽体に、顎ベルトが連接されることを特徴とする請求項１に記載のヘルメット。
【請求項８】
前記光反射ケースに、その内側表面が光反射材料から製造されることを特徴とする請求項１に記載のヘルメット。
【考案の詳細な説明】
【技術分野】
【０００１】
この考案はヘルメットに関する。特に、２輪車のライダーと、工場或い鉱区の作業員と、に用いるヘルメットに関する。
【背景技術】
【０００２】
図１に示すように、２輪車のライダーと、工場或い鉱区の作業員と、に用いる従来のヘルメットは、帽体１０と、帽体に設けた締め付け用ベルト１２と、で構成される。使用者に対しては、保護の機能があるに間違いないが、ほかの車両から或いは作業員から、視認性は低く、安全性は十分とは言えない。
【考案の開示】
【考案が解決しようとする課題】
【０００３】
前述従来のヘルメットは、使用者に対して、保護の機能があるが、ほかの車両から或いは作業員から、視認性は低く、安全性は十分とは言えない。
この考案は、以上の問題を解決し、ヘルメットに、有効な照明装置を設置して、２輪車ライダー或いは工場と鉱区の作業員により安全な機能を持つヘルメットを提供することを課題とする。
【課題を解決するための手段】
【０００４】
そこで、本考案者は従来の技術に見られる欠点に鑑み鋭意研究を重ねた結果、ヘルメットの構造は、
１つの帽体と、１つの帽体と連接する顎ベルトから構成され、
前記帽体は、少なくとも、１つの光反射ケースと、少なくとも、１つのランプと、電源と、電源スイッチと、を備え、前記ランプは前記光反射ケースの中に設け、電源とランプとは電気接続で、電源スイッチと電源は電気接続である。
前記光反射ケースには、ランプ座を設けており、ランプ座の上に、少なくも、１つのランプを挿設しておる。
前記電源には、バッテリと、陽極板と、陰極板と、複数の接続コードとを備え、接続コードの１端が、ランプ座と接続され、別の１端が、陽極板と接続され、陽極板と陰極板とは別の接続コードで接続される。
前記陽極板の上に、複数のコンタクトを設け、該複数のコンタクトが、個々でバッテリ上の導電片と接続される。
前記陰極板の上に、穴を設け、該穴に電源スイッチを穿設する。
前記電源スイッチは、接触制御式のスイッチであり、前記コンタクトと導電片の接触していると、接触していないと、の位置で制御する。
【考案の効果】
【０００５】
この考案によれば、ヘルメットに、有効な照明装置を設け、２輪車ライダー或いは工場と鉱区の作業員に、より安全な機能を持つヘルメットを提供して、工作安全と交通安全に貢献する。
【実施例】
【０００６】
図２〜５に、この考案のヘルメットの実施例より構造の説明図を開示する。図面によれば、この考案によるヘルメットには、１つの帽体２０を有し、該帽体２０の両側と後側別々で、光反射ケース２０２を設け、該光反射ケース２０２の内側表面が光反射材料で製造される。前述光反射ケース２０２の中に個々でランプ座２１を設置し、該ランプ座２１に、少なくとも、１つのランプを挿設する。
この考案によるヘルメットには、１つのバッテリ２３と、陽極板２２０と、陰極板２２２と、複数の接続コード２５，２６と、１つの電源スイッチ２４と、を有し、バッテリ２３を帽体２０の後部に設置し、接続コード２５の１端をランプ座２１と接続、別の１端を陽極板２２０と接続され、陽極板２２０と陰極板２２２は、接続コード２６より接続される。
陽極板２２０の上に、複数のコンタクト２２４を設け、該複数のコンタクト２２４は個々で、バッテリ２３の上の導電片２３４と接触し、陰極板２２２の上に、穴２４０を設け、電源スイッチ２４を穿設し、バッテリ２３の底部に設け、ランプ２１０のオンオフを制御し、該電源スイッチ２４は、接触制御式で良い、陰極板２２２の上に設けた接触片（図に示されていない）の接触ことを通じて、電源のオンオフを制御し、スイッチ２４が押された接触片と接触状態になると、ランプ２１０はバッテリ２３の電気伝導がオンの状態より、発光される。なお、光反射ケース２０２の内側表面の光反射機能を有する材料よりの光反射作用を通じて、光の強度を強める、スイッチ２４は、接触片と分離すれば、ランプ２１０の電気伝導がオフ状態になる。
図６，７に示すように、顎ベルト３０は、帽体２０の下縁の両側に設け、支持ベルト３０１，３０２より、帽体２０の下縁に取り付け、該顎ベルト３０の上に、顎の保護パッド３０４と、長さ調整バックル３０６とを設けておる。
図８に、この考案の第２実施例より構造の分離斜視図を開示する。ヘルメットには、帽体２０の両側に、個々１つの光反射ケース２０２を設け、該光反射ケース２０２の内側表面が光反射機能を有する材料で製造され、光反射ケース２０２の内に、個々でランプ座２１を設置し、該ランプ座２１に、少なくとも、１つのランプを挿設し、ヘルメットには、１つのバッテリケース４３を有し、該バッテリケース４３の中に、２つのバッテリ４３０を有し、極板４２０，４２２の上に、個々で陽極コンタクト４２４と、陰極コンタクトを設置し、極板４２０，４２２間に、接続コード２６で接続され、極板４２０は、接続コード２５を通じて、個々のランプ座２１と接続される。
この考案のランプ２１０は、使用需要によって任意の帽体２０に設置するでも良い、電源部は任意の適当な位置に設置するでも良い、ランプ２１０は、LEDランプでも良い、電源としてのバッテリは、Ni-MHバッテリ或いはLIONバッテリなどでも良い。
【図面の簡単な説明】
【０００７】
【図１】従来のヘルメットの構造説明図である。
【図２】この考案の分離斜視図である。
【図３】この考案の側面の断面図である。
【図４】この考案の正面の断面図である。
【図５】この考案の上面図である。
【図６】この考案の顎ベルトの説明図である。
【図７】この考案の顎ベルトの別角度の説明図である。
【図８】この考案第２実施例の分離斜視図である。
【符号の説明】
【０００８】
１０       帽体
１２       顎ベルト
２０       帽体
２０２     光反射ケース
２１       ランプ座
２１０     ランプ
２２０     陽極板
２２２     陰極板
２２４     コネクタ
２３       バッテリ
２３４     導電片
２４       電源スイッチ
２４０     穴
２５，２６ 接続コード
３０       顎ベルト
３０１     支持ベルト
３０２     支持ベルト
３０４     保護パッド
３０６     長さ調整バックル
４３       バッテリケース
４２０，４２２    極板
４３０     バッテリ
４２４     陽極コネクタ
４２６     陰極コネクタ
【図１】
0003161040.tif 000003
【図２】
0003161040.tif 000004
【図３】
0003161040.tif 000005
【図４】
0003161040.tif 000006
【図５】
0003161040.tif 000007
【図６】
0003161040.tif 000008
【図７】
0003161040.tif 000009
【図８】
0003161040.tif 000010
【手続補正書】
【提出日】平成22年4月6日(2010.4.6)
【手続補正１】
【補正対象書類名】実用新案登録請求の範囲
【補正対象項目名】全文
【補正方法】変更
【補正の内容】
【実用新案登録請求の範囲】
【請求項１】
ヘルメットであって、その構造は、
１つの帽体と、１つの帽体と連接する顎ベルトから構成され、
前記帽体は、少なくとも、１つの光反射ケースと、少なくとも、１つのランプと、電源と、電源スイッチと、を備え、前記ランプは前記光反射ケースの中に設け、電源とランプとは電気接続で、電源スイッチと電源は電気接続であることを特徴とするヘルメット。
【請求項２】
前記光反射ケースには、ランプ座を設けており、ランプ座の上に、少なくも、１つのランプを挿設しておることを特徴とする請求項１に記載のヘルメット。
【請求項３】
前記電源には、バッテリと、陽極板と、陰極板と、複数の接続コードとを備え、接続コードの１端が、ランプ座と接続され、別の１端が、陽極板と接続され、陽極板と陰極板とは別の接続コードで接続されることを特徴とする請求項１に記載のヘルメット。
【請求項４】
前記陽極板の上に、複数のコンタクトを設け、該複数のコンタクトが、個々でバッテリ上の導電片と接続するとともに、該コンタクトと導電片との接触位置と、非接触位置とにおいて前記電源スイッチを制御することを特徴とする請求項１に記載のヘルメット。
【請求項５】
前記陰極板の上に、穴を設け、該穴に電源スイッチを穿設することを特徴とする請求項３に記載のヘルメット。
【請求項６】
前記帽体に、顎ベルトが連接されることを特徴とする請求項１に記載のヘルメット。
【請求項７】
前記光反射ケースに、その内側表面が光反射材料から製造されることを特徴とする請求項１に記載のヘルメット。
【手続補正書】
【提出日】平成22年5月13日(2010.5.13)
【手続補正１】
【補正対象書類名】実用新案登録請求の範囲
【補正対象項目名】請求項４
【補正方法】変更
【補正の内容】
【請求項４】
前記陽極板の上に、複数のコンタクトを設け、該複数のコンタクトが、個々でバッテリ上の導電片と接続するとともに、該コンタクトと導電片との接触位置と、非接触位置とにおいて前記電源スイッチを制御することを特徴とする請求項３に記載のヘルメット。